(57)【要約】【課題】基板とコネクターとの接触不良を低減し、取り付け作業が簡単な記録装置を提供することを目的とする。【解決手段】本発明に係る記録装置は、第１端子部を有するインクカートリッジがセットされるカートリッジセット部位を有するキャリッジと、前記カートリッジセット部位にセットされたインクカートリッジの前記第１端子部と接触する第１接点部と、該第１接点部と異なる側に位置する第２接点部とを備えるコネクターと、前記コネクターを保持し、前記キャリッジに固定されるホルダーと、第２端子部を有し該第２端子部が前記第２接点部と接触する状態で前記ホルダーの基板セット部位にセットされる基板と、前記基板の前記コネクターと反対側の面に接触する状態で前記ホルダーに固定される第一規制部と、を備える。【選択図】図１
2014034147.tif 000002
【特許請求の範囲】
【請求項１】
第１端子部を有するインクカートリッジがセットされるカートリッジセット部位を有するキャリッジと、
前記カートリッジセット部位にセットされたインクカートリッジの前記第１端子部と接触する第１接点部と、該第１接点部と異なる側に位置する第２接点部とを備えるコネクターと、
前記コネクターを保持し、前記キャリッジに固定されるホルダーと、
第２端子部を有し該第２端子部が前記第２接点部と接触する状態で前記ホルダーの基板セット部位にセットされる基板と、
前記ホルダーに固定され、前記コネクターから離れる方向の変位を規制する第一規制部と、を備える記録装置。
【請求項２】
請求項１に記載された記録装置において、
前記基板セット部位は、前記ホルダーにセットされた前記基板が該基板の面に沿う方向へ変位することを規制する第二規制部を備えていることを特徴とする記録装置。
【請求項３】
請求項２に記載された記録装置において、
前記基板は長尺であり、
前記第二規制部は、前記基板の長手方向における少なくとも両端部にそれぞれ設けられていることを特徴とする記録装置。
【請求項４】
請求項１から３のいずれか一項に記載された記録装置において、
前記第一規制部は、前記第２接点部の位置に対応する位置に凸部を備え、該凸部が前記基板に接触することを特徴とする記録装置。
【請求項５】
請求項１から４のいずれか一項に記載された記録装置において、
前記第一規制部は、前記基板を前記ホルダー内に位置させて覆うカバーを兼ねていることを特徴とする記録装置。
【発明の詳細な説明】
【技術分野】
【０００１】
本発明は、インクジェットプリンター等の記録装置に関する。
【背景技術】
【０００２】
電気的な端子部を有するインクカートリッジがキャリッジにセットされた状態で、前記端子部と記録装置側の回路基板の端子部との電気的接続をとるためのコネクターがキャリッジに設けられている構造の記録装置がある（例えば特許文献１）。
【０００３】
この記録装置では、コネクターはホルダーに保持され、更に回路基板も前記ホルダーにセットされている。即ち前記コネクター、回路基板及びホルダーの三部材はホルダーユニットとしてユニット化されている。そして、このホルダーユニットがキャリッジに取り付けられる構造である。また、前記コネクターは前記各端子部と弾性的に接触している。
【０００４】
前記ホルダーユニットにおいて、前記基板はコネクターから受ける弾性力によって押し戻される方向に力を受ける。そのため、基板が押し戻されて接触不良にならないように基板の前記力の方向における変位を規制する規制部が設けられている。該規制部は、キャリッジに設けられ、前記ホルダーユニットがキャリッジに取り付けられると前記基板に接触するように構成されている。
【先行技術文献】
【特許文献】
【０００５】
【特許文献１】特開２００８−９９３号公報
【発明の概要】
【発明が解決しようとする課題】
【０００６】
上記従来の構造では、前記規制部は、ホルダーにではなく、キャリッジに設けられている。そのため、前記ホルダーユニットの前記キャリッジへの取り付け作業が簡単ではない。更に、前記取り付けの位置精度が低下すると、前記規制部による規制が不確実になり、前記基板とコネクターとの接触不良が発生して動作が不安定化する虞がある。
【０００７】
◆◆◆  目的  ◆◆◆
本発明は、基板とコネクターとの接触不良を低減し、取り付け作業が簡単な記録装置を提供することを目的とする。
【課題を解決するための手段】
【０００８】
本発明の第１の態様に係る記録装置は、第１端子部を有するインクカートリッジがセットされるカートリッジセット部位を有するキャリッジと、前記カートリッジセット部位にセットされたインクカートリッジの前記第１端子部と接触する第１接点部と、該第１接点部と異なる側に位置する第２接点部とを備えるコネクターと、前記コネクターを保持し、前記キャリッジに固定されるホルダーと、第２端子部を有し該第２端子部が前記第２接点部と接触する状態で前記ホルダーの基板セット部位にセットされる基板と、前記ホルダーに固定され、前記コネクターから離れる方向の変位を規制する第一規制部と、を備える。
【０００９】
◆◆◆  作用の説明  ◆◆◆
本態様によれば、ホルダーは、コネクターを保持すると共に基板セット部位を備え、更に第一規制部が該ホルダーに一体に固定される。該第一規制部は、前記基板セット部位にセットされている状態の基板に対して前記コネクターと反対側の面に接触する状態で、当該ホルダーに固定される。これにより、前記基板は、当該第一規制部の存在によってコネクターから離れる方向への変位が規制される。従って、コネクターの第２接点部と基板の第２端子部との接触状態が安定化する。  
しかも、前記コネクター、基板、第一規制部及びホルダーの四つの部材がホルダーユニットとしてユニット化され、該ホルダーユニット内で前記コネクターの第２接点部と基板の第２端子部との接触状態の安定化が実現される。即ち、該ホルダーユニットがホルダーを介してキャリッジへ取り付けられる前の段階で、前記コネクターの第２接点部と基板の第２端子部との接触状態の安定化が実現される。  
従って、従来の構造（前記第二規制部がキャリッジに設けられている構造）に比べて取り付け作業を簡単に行うことができ、更に基板とコネクターとの接触不良を低減することができる。
【００１０】
本発明の第２の態様に係る記録装置は、第１の態様において、前記基板セット部位は、前記ホルダーにセットされた前記基板が該基板の面に沿う方向へ変位することを規制する第二規制部を備えていることを特徴とする。  
ここで、「基板の面に沿う方向へ変位することを規制する」とは、少なくとも一方向、好ましくは交差する二方向への変位を規制することを意味する。例えば長尺な基板の場合は長辺方向、好ましくは長辺方向と短辺方向の両方向に対して変位を規制することを意味する。
【００１１】
本態様によれば、前記第二規制部は前記ホルダーにセットされた状態の基板が該基板の面に沿う方向へ変位することを規制するので、前記コネクターの第２接点部と基板の第２端子部との接触状態を安定して維持することができる。  
また、本態様によれば、当該第二規制部が基板に対して前記面に沿う方向への変位を規制し、前記第一規制部が基板に対して前記面に沿う方向と交差する方向への変位を規制する。即ち、基板の変位の規制を前記第一規制部と前記第二規制部とで役割分担して行うので、前記接触状態の安定性を一層向上することができる。
【００１２】
本発明の第３の態様に係る記録装置は、第１の態様又は第２の態様において、前記基板は長尺であり、前記第二規制部は、前記基板の長手方向における少なくとも両端部にそれぞれ設けられていることを特徴とする。
【００１３】
基板が外部から受ける衝撃や振動によって傾いた場合、該基板が長尺であると長手方向の両端の位置ずれが大きくなり、一部に接触不良を起す虞が短尺のものに比して大きくなる。  
本態様によれば、前記第二規制部が基板の長手方向における少なくとも両端部にそれぞれ設けられているので、該基板が大きく傾く虞を低減することができ、以て接触不良を起す虞を低減することができる。  
ここで、「長尺」とは、長い形状と言えるものであればよく、短尺との境界を厳密に定めることは意味がない。
【００１４】
本発明の第４の態様に係る記録装置は、第１の態様から第３の態様のいずれか一つの態様において、前記第一規制部は、前記第２接点部の位置に対応する位置に凸部を備え、該凸部が前記基板に接触することを特徴とする。
【００１５】
通常、コネクターは弾性力を備えている。そして、前記コネクターの第２接点部は接触する基板に対して弾性力を及ぼしている。従って、基板は前記弾性力を受け続けることで経時的に変形し易い。  
本態様によれば、第一規制部が備える凸部は、前記第２接点部の位置に対応する位置に設けられている。従って、コネクターの弾性力を直接受ける部分の裏側を当該凸部が接触して押さえるので、基板の変形を効果的に抑制することができる。
【００１６】
本発明の第５の態様に係る記録装置は、第１の態様から第４の態様のいずれか一つの態様において、前記第一規制部は、前記基板を前記ホルダー内に位置させて覆うカバーを兼ねていることを特徴とする。
【００１７】
本態様によれば、前記第一規制部は、前記基板を前記ホルダー内に位置させて覆うカバーを兼ねているので、基板がホルダー内に包含され、前記ユニットをキャリッジに取り付ける作業の際に、基板に手等が触れることがない。従って、前記コネクターの第２接点部と基板の第２端子部との接触状態を安定して維持することができる。
【図面の簡単な説明】
【００１８】
【図１】本発明の実施例に係るインクジェット記録装置のキャリッジのインクカートリッジをセットする前の概略拡大斜視図。
【図２】同実施例に係るホルダーユニット部分のコネクターの第１接点部側から見た拡大斜視図。
【図３】同ホルダーユニット部分の図２と反対側から見た拡大斜視図。
【図４】同ホルダーユニット部分の図３と見る角度を変えた拡大斜視図。
【図５】図４の第一規制部をホルダーに固定する前の拡大斜視図。
【図６】図５の基板をホルダーにセットする前の拡大斜視図。
【図７】図５の基板の拡大斜視図。
【図８】図４の第一規制部の拡大斜視図。
【図９】図８の第一規制部の反対側から見た拡大斜視図。
【図１０】図５の要部拡大斜視図。
【発明を実施するための形態】
【００１９】
以下、図面に基づいて本発明の実施例を詳細に説明する。  
図１に示したように、インクジェットプリンターのキャリッジ１に、ホルダーユニット２が固定されている。キャリッジ１はインクカートリッジ４がセットされるカートリッジセット部位５を有する。インクカートリッジ４は、第１端子部３を有する。尚、インクカートリッジ４は、図１においては、複数のカラーのインクカートリッジの内、一色のみのインクカートリッジ４が記載され、他の色については図示が省略されている。他のインクカートリッジも同様に第１端子部３を備えている。
【００２０】
図２から図６に示したように、ホルダーユニット２は、コネクター８と、ホルダー９と、基板１０と、第一規制部１１を備えている。  
前記コネクター８は、前記カートリッジセット部位５にセットされたインクカートリッジ４の前記第１端子部３と接触する第１接点部６（図２）と、該第１接点部６と異なる側、本実施例では第１端子部６の反対側に位置する第２接点部７（図６）とを備える。前記第１接点部６と第２接点部７は、図示の実施例では一体化された単一部材で構成され、該第１接点部６と第２接点部７はいずれも弾性力を持っている。
【００２１】
前記ホルダー９は、前記コネクター８を保持し、前記キャリッジ１にネジ（図示せず）で固定される。図１において、符号２１はネジが通される貫通孔より成る固定部を示す。尚、該ネジの図示は省略されている。
【００２２】
図５及び図７において、符号１０は基板である。該基板１０は、その裏側に第２端子部１９を有し、該第２端子部１９が前記コネクター８の第２接点部７と接触する状態で前記ホルダー９の基板セット部位１２（図６）にセットされる。
【００２３】
図９に示したように、第一規制部１１は、前記基板１０の前記コネクター８と反対側の面に接触する状態で前記ホルダー９に締結部２２によって固定される。本実施例では、前記第一規制部１１は、前記第２接点部７の位置に対応する位置に凸部１５を備え、該凸部１５が前記基板１０に接触する。図５において、符号２５は前記第一規制部１１の凸部１５が接触する部位を示す。
【００２４】
図８及び図９に示したように、第１規制部１１は下辺部に４つの凸部２６が設けられている。該第１規制部１１は、前記凸部２６をホルダー９の前記基板セット部位１２の対応する部位に設けられている凹部に挿入し、該凸部２６を支点に回動して前記締結部２２をホルダー９側の締結部３０と接触させる。そして、ネジ（図示せず）によって両締結部２２，３０が固定される。これにより、第１規制部１１は、前記凸部２６の部分と締結部２２の部分によってホルダー９に固定される。
【００２５】
図５、図６及び図１０に示したように、前記基板セット部位１２は、前記ホルダー９にセットされた前記基板１０が該基板１０の面に沿う方向へ変位することを規制する凸状の第二規制部１４を備えている。前記第二規制部１４は、前記基板１０の長手方向における両端部にそれぞれ設けられている。
【００２６】
図７に示したように、前記凸状の第二規制部１４に対応して基板１０には規制用凹部１７が設けられている。  
尚、図７において、符号２４はフレキシブルフラットケーブル等の信号線が接続される接続部を示す。また、符号３１は基板の切離し部である。
【００２７】
本実施例では、基板１０はその長辺方向と短辺方向の両方に対して変位しないように構成されている。  
具体的には、前記二つの第二規制部１４に対して基板１０の前記二つの規制用凹部１７内の規制面２７が、図１０に示したように、押圧状態で接触して前記長辺方向に位置決めされ、且つ同方向に移動しないように規制されている。  
また、基板１０は下辺部の前記規制用凹部１７近傍の一部２８と上辺部の両端の一部２９がホルダー９の前記基板セット部の対応する部位に接触して短辺方向に位置決めされ、且つ同方向に移動しないよう規制されている。
【００２８】
図３及び図４に示したように、本実施例では、前記第一規制部１１は、前記基板１０を前記ホルダー９内に位置させて覆うカバー２０を兼ねている。カバー２０によって、基板１０は外部と隔離され、外部からの不用意な力が基板に作用して位置ずれする虞を低減することができる。尚、カバー２０は図示の構造に限定されない。
【００２９】
次に作用を説明する。  
本実施例によれば、ホルダー９は、コネクター８を保持すると共に基板セット部位１２を備え、更に第一規制部１１が一体に固定される。該第一規制部１１は、前記基板セット部位１２にセットされている状態の基板１０に対して前記コネクター８と反対側の面に接触する状態で、当該ホルダー９に固定される。これにより、前記基板１０は、当該第一規制部１１の存在によってコネクター８から離れる方向への変位が規制される。従って、コネクター８の第２接点部７と基板１０の第２端子部７との接触状態が安定化する。
【００３０】
しかも、前記コネクター８、基板１０、第一規制部１１及びホルダー９の四つの部材がホルダーユニット２としてユニット化され、該ホルダーユニット２内で前記コネクター８の第２接点部と基板１０の第２端子部との接触状態の安定化が実現される。言い換えると、該ホルダーユニット２がホルダー９を介してキャリッジ１へ取り付けられる前の段階で、前記コネクター８の第２接点部７と基板１０の第２端子部との接触状態の安定化が実現される。  
従って、従来の構造に比べて取り付け作業を簡単に行うことができ、更に基板１０とコネクター９との接触不良を低減することができる。
【００３１】
また、本実施例によれば、前記第二規制部１１は前記ホルダー９にセットされた状態の基板１０が該基板１０の面に沿う方向へ変位することを規制するので、前記コネクター８の第２接点部７と基板１０の第２端子部１９との接触状態を安定して維持することができる。
【００３２】
また、本実施例によれば、当該第二規制部１１が基板１０に対して該基板の面に沿う方向への変位を規制し、前記第一規制部が基板１０に対して前記面に沿う方向と交差する方向への変位を規制する。即ち、基板１０の変位の規制を前記第二規制部と前記第一規制部９とで役割分担して行うので、前記接触状態の安定性を一層向上することができる。
【００３３】
基板１０が外部から受ける衝撃や振動によって傾いた場合、該基板１０が長尺であると長手方向の両端の位置ずれが大きくなり、一部に接触不良を起す虞が短尺のものに比して大きくなる。  
本実施例によれば、前記第二規制部１４が基板１０の長手方向における少なくとも両端部にそれぞれ設けられているので、該基板１０が大きく傾く虞を低減することができ、以て接触不良を起す虞を低減することができる。
【００３４】
前記コネクター８の第２接点部７は接触する基板１０に対して弾性力を及ぼしている。従って、基板１０は前記弾性力を受け続けることで経時的に変形し易い。  
本実施例によれば、第一規制部１１が備える凸部１５は、前記第２接点部７の位置に対応する部位（位置）２５に設けられている。従って、コネクター８の弾性力を直接受ける部分の裏側を当該凸部１５が接触して押さえるので、基板１０の変形を効果的に抑制することができる。
【００３５】
本実施例によれば、前記第一規制部１１は、前記基板１０を前記ホルダー９内に位置させて覆うカバー２０を兼ねているので、基板１０がホルダー９内に包含され、前記ホルダーユニット１８をキャリッジ１に取り付ける作業の際に、基板１０に手等が触れることがない。従って、前記コネクター８の第２接点部と基板１０の第２端子部７との接触状態を安定して維持することができる。
【００３６】
［他の実施例］
本発明に係る記録装置１は、以上述べた構成を有することを基本とするものであるが、本願発明の要旨を逸脱しない範囲内の部分的構成の変更や省略等を行うことも勿論可能である。  
例えば、第１規制部材１１のホルダー９への固定構造は上記実施例に限定されない。全部ネジで肯定してもよい。
【符号の説明】
【００３７】
１  キャリッジ、  ２  ホルダーユニット、  ３  第１端子部、
４  インクカートリッジ、  ５  カートリッジセット部位、  ６  第１接点部、
７  第２接点部、  ８  コネクター、  ９  ホルダー、  １０  基板、
１１  第一規制部、  １２  基板セット部位、  １４  凸状の第二規制部、
１５  凸部、  １７  規制用凹部、  １９  第２端子部、  ２０  カバー、
２１  固定部、  ２２  締結部、  ２４  接続部、  ２５  接触ずる部位、
２６  凸部、  ２７  規制面、  ２８  一部、  ２９  一部、  ３０  締結部、
３１  切離し部
【図１】
2014034147.tif 000003
【図２】
2014034147.tif 000004
【図３】
2014034147.tif 000005
【図４】
2014034147.tif 000006
【図５】
2014034147.tif 000007
【図６】
2014034147.tif 000008
【図７】
2014034147.tif 000009
【図８】
2014034147.tif 000010
【図９】
2014034147.tif 000011
【図１０】
2014034147.tif 000012